(57)【要約】【課題】低コストで、電柱の外周面に取り付けられる付帯物を収納保護しつつ電柱の外観をより良好に保つことができる電柱用保護カバーを提供する。【解決手段】本発明の電柱用保護カバー９は、電柱の外周面全周を覆う合成樹脂からなる円筒状のカバー本体１０を備えている。カバー本体１０は、周方向に連結されて当該カバー本体１０を構成する４つの分割部材１１を備えている。分割部材１１には、電柱１の外周側に取り付けられる付帯物を収納する収納空間１２が形成されている。【選択図】図３
2012075240.tif 000002
【特許請求の範囲】
【請求項１】
電柱の外周面を地面から所定の高さ範囲で覆う電柱用保護カバーであって、
前記電柱の外周面全周を覆う、合成樹脂製の筒状のカバー本体を備えるとともに、前記カバー本体は、周方向に連結されて当該カバー本体を構成する複数の分割部材を備え、
前記複数の分割部材の内の少なくとも一つの分割部材には、前記電柱の外周側に取り付けられる付帯物を収納する収納空間が形成されていることを特徴とする電柱用保護カバー。
【請求項２】
前記収納空間は、前記電柱の軸方向に沿って貫通している請求項１に記載の電柱用保護カバー。
【請求項３】
前記収納空間の外周側を覆う外側壁は、その一部又は全部が前記分割部材に対して着脱自在に設けられている請求項１又は２に記載の電柱用保護カバー。
【請求項４】
電柱の外周面を地面から所定の高さ範囲で覆う電柱用保護カバーであって、
前記電柱の外周面全周を覆う、合成樹脂製の筒状のカバー本体を備えるとともに、前記カバー本体が周方向に分割可能に連結された複数の分割部材を備え、
前記複数の分割部材の内の少なくとも一つの分割部材には、前記電柱の外周面との間で、当該電柱の外周面に取り付けられている付帯物を収納する収納空間を形成する壁面が形成されていることを特徴とする電柱用保護カバー。
【請求項５】
前記カバー本体の外側面には、蛇が当該カバー外側面を登るのを防止するための多数の突起が形成されている請求項１〜４のいずれか一項に記載の電柱用保護カバー。
【発明の詳細な説明】
【技術分野】
【０００１】
本発明は、電柱の外周を覆う電柱用保護カバーに関する。
【背景技術】
【０００２】
電柱には、通常、架空地線や、高圧線の他、通信線等が架設されている。また、変圧器が設置されているものもある。さらに、電柱の外周には、前記各線や変圧器を接地させるための接地線や、接地抵抗を測定するための接地測定用端子といった付帯物が取り付けられている。
図１５は、電柱及び当該電柱に取り付けられる付帯物の一例を模式的に示した外観図である。図１５において、下端が地面に埋設されて立設されている電柱１００は、上端に架空地線１０１が架設されている。さらに、その下方には、高圧線１０２や、電話等の通信に用いられる通信線１０４が架設されており、高圧線１０２による送電電力を変圧するための変圧器１０３も設置されている。
【０００３】
架空地線１０１、変圧器１０３、及び通信線１０４には、それぞれ、これらを接地させるために地面にまで延びる接地線１０５が接続されている。これら接地線１０５は、電柱１００の下部においては、通行人等が直接触れるのを防止するために合成樹脂製の保護管１０６に挿通されて地中まで延ばされている。保護管１０６は、電柱１００に巻き付けた固定用バンド１０７によって固定されており、これによって、接地線１０５は電柱１００の外周側に固定されている。また、各接地線１０５の途中に接続される接地抵抗を測定するための接地測定用端子１０８も電柱１００の外周側に固定されている。
【０００４】
上記のような接地線１０５は、上記架空地線１０１等の各架線ごとそれぞれに個別に設けなければならないため、一本の電柱１００に対して複数本取り付けられており、都市部になればなるほどその本数が増大する。このため、電柱１００の外周面には、接地線１０５が挿通された保護管１０６が多数固定されることとなり、電柱１００の外周面から保護管１０６や固定バンド１０７、接地測定用端子１０８等が多数突出することで電柱の外観を損ない、都市景観をも損なわせる場合もあった。
【０００５】
これに対して、接地線を電柱内部に通して地上まで延ばしたり、電柱外周面に軸方向に沿う溝部を設け、接地線やこれを保護する保護管が電柱の外周面から突出しないように設置するといったことがなされている（例えば、特許文献１参照）。
【先行技術文献】
【特許文献】
【０００６】
【特許文献１】特開２００６−２９６１１３号公報
【発明の概要】
【発明が解決しようとする課題】
【０００７】
しかし、電柱の付帯物である接地線を、上記のように、電柱内部や、電柱外周面に設けた溝部に納めるためには、内部に接地線を引き込むために必要な機構を電柱に設けたり、電柱外周面に予め多数の溝部を設けたりしなければならず、コスト高になる上、電柱外周面に溝部を設けて接地線を納めたとしても、依然として接地測定用端子については電柱外周面に設置しなければならない。
このため、低コストで、電柱の外周面に取り付けられる接地線や接地測定用端子等の付帯物を外部から見えないように収納保護し、電柱の外観をより良好に保つ方策が望まれている。
【０００８】
本発明はこのような事情に鑑みてなされたものであり、低コストで、電柱の外周面に取り付けられる付帯物を収納保護しつつ電柱の外観をより良好に保つことができる電柱用保護カバーの提供を目的とする。
【課題を解決するための手段】
【０００９】
上記目的を達成するための本発明は、電柱の外周面を地面から所定の高さ範囲で覆う電柱用保護カバーであって、前記電柱の外周面全周を覆う、合成樹脂製の筒状のカバー本体を備えるとともに、前記カバー本体は、周方向に連結されて当該カバー本体を構成する複数の分割部材を備え、前記複数の分割部材の内の少なくとも一つの分割部材には、前記電柱の外周側に取り付けられる付帯物を収納する収納空間が形成されていることを特徴としている。
【００１０】
上記のように構成された電柱用保護カバーによれば、合成樹脂製の筒状のカバー本体を構成する複数の分割部材の内の少なくとも一つの分割部材に、付帯物を収納する収納空間が形成されているので、上記従来例のように電柱側に溝部等を設けることなく、電柱の付帯物をカバー外側面よりも内側に納めることができる。この結果、低コストで、付帯物を外部に突出させることなく電柱を保護することができ、電柱の外観を良好に保つことができる。
【００１１】
上記電柱用保護カバーにおいて、前記収納空間は、前記電柱の軸方向に沿って貫通していることが好ましく、この場合、付帯物の内、例えば、電柱に沿って地中に延びる接地線を収納空間に挿通させることができ、接地線を好適に保護することができる。
【００１２】
また、上記電柱用保護カバーにおいて、前記収納空間の外周側を覆う外側壁は、その一部又は全部が前記分割部材に対して着脱自在に設けられていることが好ましい。
この場合、外側壁の一部又は全部を着脱することで、付帯物を収納空間に容易に収納することができるとともに、付帯物の点検や操作を容易に行うことができる。
【００１３】
また、本発明は、電柱の外周面を地面から所定の高さ範囲で覆う電柱用保護カバーであって、前記電柱の外周面全周を覆う、合成樹脂製の筒状のカバー本体を備えるとともに、前記カバー本体が周方向に分割可能に連結された複数の分割部材を備え、前記複数の分割部材の内の少なくとも一つの分割部材には、前記電柱の外周面との間で、当該電柱の外周面に取り付けられている付帯物を収納する収納空間を形成する壁面が形成されていることを特徴としている。
【００１４】
上記のように構成された電柱用保護カバーによれば、複数の分割部材の内の少なくとも一つの分割部材に、電柱の外周面との間で収納空間を形成する壁面が形成されているので、上記従来例のように電柱側に溝部等を設けることなく、電柱の付帯物をカバー外側面よりも内側に納めることができる。この結果、低コストで、付帯物を外部に突出させることなく電柱を保護することができ、電柱の外観をより良好に保つことができる。
また、分割部材は、電柱の外周面との間で収納空間を形成するので、電柱に既設されている付帯物を電柱から取り外すことなく、付帯物の外側から当該分割部材を覆い被せることで収納空間を形成することができ、当該付帯物を収納空間に容易に収納することができる。
【００１５】
また、上記電柱用保護カバーにおいて、前記カバー本体の外側面には、蛇が当該カバー外側面を登るのを防止するための多数の突起が形成されていてもよく、この場合、電柱の外観を良好に保持しつつ、蛇が電柱に登るのを防止でき、蛇による電気事故を未然に防止することができる。
【発明の効果】
【００１６】
本発明の電柱用保護カバーによれば、低コストで、電柱の外周面に取り付けられる付帯物を収納保護しつつ電柱の外観をより良好に保つことができる。
【図面の簡単な説明】
【００１７】
【図１】本発明の第一の実施形態に係る電柱用保護カバーが取り付けられた電柱の外観図である。
【図２】カバー本体１０の斜視図である。
【図３】（ａ）は、図２中、矢印Ａ部分の断面図、（ｂ）は、図２中、矢印Ｂ部分の断面図である。
【図４】蓋部材を取り外した状態の分割部材の要部斜視図である。
【図５】蓋部材の斜視図である。
【図６】（ａ）は、本実施形態のカバー本体のカバー外側面の表面を拡大した図であり、（ｂ）は、（ａ）の断面図である。
【図７】接地線と、接地線に接続された接地測定用端子とを収納した状態の分割部材の要部斜視図である。
【図８】端子箱の斜視図である。
【図９】本発明の第二の実施形態に係る電柱用保護カバーの分割部材の要部斜視図である。
【図１０】分割部材に取り付けられる蓋部材の斜視図である。
【図１１】本発明の第三の実施形態に係る電柱用保護カバーの分割部材の要部斜視図である。
【図１２】第三の実施形態に係る電柱用保護カバーが電柱に取り付けられている状態を示す図である。
【図１３】本発明の第四の実施形態に係るカバー本体の斜視図である。
【図１４】カバー外側面に各種表示を施した例を示す図である。
【図１５】電柱及び当該電柱に取り付けられる付帯物の一例を模式的に示した外観図である。
【発明を実施するための形態】
【００１８】
次に、本発明の好ましい実施形態について添付図面を参照しながら説明する。図１は、本発明の第一の実施形態に係る電柱用保護カバーが取り付けられた電柱の外観図である。
図において、電柱１は、下端が地面Ｇに埋設されて立設されている。電柱１の上端には、架空地線２が架設されている。また、電柱１における架空地線２の下方には、高圧線３や、電話通信等のための通信線４が架設されており、高圧線３により送電される送電電力を変圧するための変圧器５も設置されている。
【００１９】
架空地線２、変圧器５、及び通信線４には、これらを個々に接地させるために地中にまで延びる接地線６がそれぞれに接続されている。これら接地線６は、上端が前記各線、下端が地中に埋設された接地極７に接続されている。
【００２０】
電柱用保護カバー９は、電柱１の外周面１ａを地面Ｇから所定の高さ範囲で覆うものであり、電柱１の外周面１ａ全周を覆う円筒状のカバー本体１０を備えている。カバー本体１０は、その下端側の一部が電柱１とともに地面Ｇに埋設されており、地面Ｇに埋設されている埋設部分は、約７５センチメートルの長さとされている。また、上端側である地上部分は、約２００センチメートルの長さとされている。従って、カバー本体１０の全体の長さとしては、約２７５センチメートルに設定されている。
電柱用保護カバー９は、各接地線６における地面Ｇからの高さ約２００センチメートルから地面Ｇより下方約７５センチメートルの範囲を、内部に収納し保護している。
【００２１】
図２は、カバー本体１０の斜視図であり、図３（ａ）は、図２中、矢印Ａ部分の断面図、図３（ｂ）は、図２中、矢印Ｂ部分の断面図である。
カバー本体１０は、図に示すように、その内周面１０ａが電柱１の外周面１ａに接する円筒形状に形成されており、具体的な材質としては、ポリカーボネートが用いられている。ポリカーボネートは、絶縁性及び耐久性に優れており、電柱用保護カバー９の材質として好適な性質を有している。
【００２２】
カバー本体１０は、互いに周方向に連結されて当該円筒形状のカバー本体１０を構成する４つの分割部材１１を備えている。各分割部材１１は、円筒状のカバー本体１０を周方向に４分割した形状とされている。
各分割部材１１には、それぞれ、電柱の軸方向（上下方向）に沿って当該分割部材１１を貫通している収納空間１２が形成されている。この収納空間１２は、断面がカバー本体１０の周方向に沿う円弧状に形成されており、電柱１の外周側に取り付けられる接地線６等の付帯物をカバー外側面１０ｂよりも内側に収納する空間であり、電柱１の軸方向（上下方向）に貫通している。
【００２３】
各分割部材１１は、下端から所定の高さの範囲においては、図２及び図３（ｂ）に示すように、内側面が電柱１に接する内周面１０ａである断面円弧状の内側壁１１ａと、内側壁１１ａよりも外周側に配置された断面円弧状の外周壁１１ｂと、両壁１１ａ，１１ｂの周方向両端を繋ぐ柱部１１ｃとによって構成されている。
【００２４】
また、外周壁１１ｂの上端よりも上側の範囲においては、図２及び図３（ａ）に示すように、下端側から続く内側壁１１ａ、及び柱部１１ｃとにより構成されており、カバー外側面１０ｂに対して内周側に凹む溝状に形成されている。
各分割部材１１には、着脱自在の蓋部材１３が取り付けられている。この蓋部材１３は、分割部材１１の外側面（カバー外側面１０ｂ）に面一となるように柱部１１ｃの側面１１ｃ１に取り付けられる湾曲板状の部材であり、分割部材１１同様合成樹脂により形成されている。蓋部材１３は、内側壁１１ａとの間で収納空間１２が確保されるように、内側壁１１ａ、及び柱部１１ｃとにより構成された上述の溝状の部分を覆い塞いでいる。
このように、外周壁１１ｂ、及び蓋部材１３は、収納空間１２の外周側を覆う外側壁を構成している。
【００２５】
図４は、蓋部材１３を取り外した状態の分割部材１１の要部斜視図である。
分割部材１１の左右端面には、隣接する他の分割部材１１との間で上下方向の位置決めを行うための凹凸部１１ｄが形成されている。各分割部材１１は、図２に示すように、隣接する他の分割部材１１の凹凸部１１ｄと、自己の凹凸部１１ｄとを組み合わせることで、互いの上下方向の位置を一致させて連結することができ、円筒状のカバー本体１０として容易に組み立てることができる。
【００２６】
柱部１１ｃの側面１１ｃ１には蓋部材１３を取り付けるための溝部１１ｅが形成されている。溝部１１ｅは、側面１１ｃ１の外側縁に上下方向に沿って形成されている。
【００２７】
図５は、蓋部材１３の斜視図である。蓋部材１３は、上下方向に延びて分割部材１１に取り付けられたときに内側壁１１ａに対向配置される本体部１３ａと、分割部材１１の上端面と面一となるように、収納空間１２の上端を塞ぐ上蓋部１３ｂとを有している。
本体部１３ａの左右方向（周方向）の両端面には、分割部材１１に形成された溝部１１ｅに嵌る凸部１３ｃが本体部１３ａの上下方向全域に亘って形成されている。
蓋部材１３の凸部１３ｃは、分割部材１１の上端面側から溝部１１ｅに嵌め込むことができる。蓋部材１３は、凸部１３ｃを溝部１１ｅに嵌め込み、本体部１３ａの下端が外周壁１１ｂの上端に当接するまで下方向にスライドさせることで、分割部材１１に取り付けられる。
本体部１３ａの下端は、外周壁１１ｂの上端に対してほぼ隙間無く当接するように形成されている。これにより蓋部材１３は、分割部材１１に取り付けられることによって、図２に示すように、内側壁１１ａとの間で収納空間１２を確保しつつ、内側壁１１ａ、及び柱部１１ｃとにより構成された溝状の部分を塞ぐことができる。
【００２８】
蓋部材１３の上蓋部１３ｂは、蓋部材１３が分割部材１１に取り付けられたときに、内側（内周側）の端縁１３ｂ１が内側壁１１ａの外側面１１ａ１（図４）に当接するように形成されている。また、蓋部材１３の上蓋部１３ｂの内側（内周側）の端縁には、半円状に切り欠かれた切欠部１３ｂ２が形成されている。切欠部１３ｂ２は、電柱１に取り付けられる接地線６（図１）等を電柱用保護カバー９の外部から収納空間１２内に導くために設けられている。
【００２９】
図４に戻って、分割部材１１の柱部１１ｃには、周方向に貫通する複数の孔部１４が形成されている。この孔部１４には、各分割部材１１を電柱１の外側に配置して連結し、カバー本体１０として組み立てた後に、各分割部材１１を電柱１に締め付けて固定するための固定バンド１５が挿通される。
【００３０】
内側壁１１ａの外側面１１ａ１には、電柱用保護カバー９の外部から収納空間１２内に導かれる接地線６を保持するための複数のガイド部材１６が設けられている。ガイド部材１６が、収納空間１２に収納される接地線６等を保持することで、収納空間１２内の整理が容易となり、電柱用保護カバー９を設置する際の接地線６の配線や、後のメンテナンスが容易となる。
【００３１】
接地線６は、蓋部材１３の切欠部１３ｂ２を通じて収納空間１２に入り、ガイド部材１６に挿通されて保持されつつ収納空間１２内に収納される。そして、接地線６は、下側に開口する収納空間１２の下端から当該収納空間１２を通過し電柱用保護カバー９の外部に延びて、接地極７（図１）に接続されている。
なお、外周壁１１ｂには、その中央に上下方向に沿う切り込み部１１ｆが形成されている。接地線６を、接地極７と、上側の架空地線２等の各部との間で接続したまま分割部材１１を電柱１に取り付ける際には、分割部材１１を変形させて、切り込み部１１ｆを左右に開き、当該切り込み部１１ｆに隙間を開け、接地線６を収納空間１２内に納めることができる。
【００３２】
さらに、内側壁１１ａには、電柱１の外周面を露出させるための露出孔１７が形成されているとともに、この露出孔１７を塞ぐ蓋１８が取り付けられている。
例えば、接地線を電柱１の内部を通過させ接地させている場合、接地線の接地測定用端子が電柱１の外周面１ａに埋め込まれて設置されることがある。
露出孔１７は、電柱１の外周面１ａに接地線の接地測定用端子が設置されている場合に、当該接地測定用端子を使用可能とするために外部に露出させるための孔である。露出孔１７は、予め接地測定用端子の位置に合わせて設けられる。蓋１８は、接地測定用端子を使用しない場合や、接地測定用端子がない場合に、この露出孔１７を塞ぐ部材である。
本実施形態では、この露出孔１７を設けることで、上記のように、電柱１の外周面１ａに接地線の接地測定用端子が設置されている場合においても、露出孔１７を通じて接地測定用端子を露出させることができ、接地抵抗の測定を行うことができる。
【００３３】
図６（ａ）は、本実施形態のカバー本体１０のカバー外側面１０ｂの表面を拡大した図であり、（ｂ）は、図（ａ）の断面図である。
図に示すように、カバー外側面１０ｂの表面には、半球状の突起１９が多数形成されている。
上記突起１９は、分割部材１１や、蓋部材１３を型成形する際に一体に成形される。突起１９は、基面２０に対する高さ寸法ｈが、０．０５〜１ミリとなるように形成されている。
【００３４】
上記多数の突起１９は、蛇が本実施形態の電柱用保護カバー９を登るのを防止するために設けられている。蛇は、ほぼ垂直に切り立った部材に登ろうとするとき、鱗をその部材表面に引っ掛けて登ること、及び、蛇は上記のような多数の突起１９が設けられた表面に対して、鱗を引っ掛けることが難しいということが知られている。
本実施形態の電柱用保護カバー９では、カバー本体１０のカバー外側面１０ｂに多数の突起１９を設けることで、蛇が電柱１を登ろうとしてもカバー外側面１０ｂで阻止することができ、蛇による電気事故を未然に防ぐことができる。
また、本実施形態の電柱用保護カバー９は、合成樹脂材料によって型成形することができるので、上述の多数の突起１９を容易に形成することができる。
【００３５】
上記のように構成された電柱用保護カバー９によれば、円筒状のカバー本体１０を構成する合成樹脂製の４つの分割部材１１に、電柱１に取り付けられる接地線６等の付帯物を収納する収納空間１２が形成されているので、上記従来例のように電柱１側に溝部等を設けることなく、電柱１の付帯物をカバー外側面１０ｂよりも内側に納めることができる。この結果、低コストで、付帯物を外部に突出させることなく電柱１を保護することができ、電柱１の外観を良好に保つことができる。
【００３６】
また、上記実施形態によれば、収納空間１２が電柱１の軸方向（上下方向）に沿って貫通しているので、電柱１に沿って地中に延びる接地線６を収納空間１２に挿通させることができ、接地線６を好適に保護することができる。
【００３７】
また、上記実施形態では、外側壁の一部を構成している蓋部材１３が着脱自在に取り付けられているので、接地線６等の付帯物を収納空間１２に容易に収納できるとともに、付帯物の点検や操作を容易に行うことができる。
【００３８】
上記実施形態では、収納空間１２に接地線６のみを収納した場合を示したが、電柱１に取り付けられるその他の付帯物についても収納することができる。
図７は、接地線６と、接地線６に接続された接地測定用端子とを収納した状態の分割部材１１の要部斜視図である。図７に示す分割部材１１は、接地測定用端子を収納する端子箱３０と、この端子箱３０を固定するためのレール２１とを備えている。
【００３９】
レール２１は、合成樹脂からなる帯板状の部材であり、内側壁１１ａの外側面１１ａ１に上下方向に延びた状態で固定されている。レール２１の側面には、端子箱３０が係合する複数の切欠部２１ａが形成されている。
【００４０】
図８は、端子箱３０の斜視図であり、レール２１に取り付ける前の状態を示した図である。図８に示すように、端子箱３０は、基盤３１と、基盤３１に開閉自在に設けられた外蓋３２とを備えている。
基盤３１の表面３１ａには、接地測定用端子４０が固定されている。接地測定用端子４０は、接地極７側の接地線６が接続される接地側端子４１と、架空地線２や、変圧器５側の接地線６が接続される機器側端子４２と、両端子４１，４２を切り離し可能に接続する接続子４３とを備えている。
外蓋３２は、基盤３１の表面３１ａを開閉自在に覆う部材であり、接地測定用端子４０を使用しないときに当該接地測定用端子４０を覆い保護する。外蓋３２には、両端子４１，４２に接続される接地線６を外蓋３２内部に導くための挿入口３２ａ，３２ｂが形成されている。
【００４１】
基盤３１の裏面３１ｂには、一対の台座３３が固定される。台座３３には、分割部材１１に固定されたレール２１を基盤３１の裏面３１ｂとの間で保持するガイド部３３ａが設けられている。さらに、ガイド部３３ａには、レール２１に形成された切欠部２１ａに係合する突起３３ｂが形成されている。
基盤３１は、一対の台座３３が基盤３１の裏面３１ｂにねじ留めあるいは接着剤によって固定されることでレール２１を保持する。このとき、ガイド部３３ａに形成された突起３３ｂをレール２１の切欠部２１ａに係合させることで、基盤３１を上下方向に固定することができる。
このようにして、端子箱３０は、レール２１に固定され、分割部材１１の収納空間１２に収納固定される。
【００４２】
以上のように、図７に示す分割部材１１では、電柱１に取り付けられる付帯物である接地測定用端子４０（端子箱３０）を収納空間１２に収納することで、当該接地測定用端子４０を外部に突出させることなく電柱１を保護することができ、電柱１の外観をより良好に保つことができる。
【００４３】
なお、上記実施形態では、４つの分割部材１１全てに収納空間１２を設けた場合を例示したが、４つの分割部材１１の内の少なくとも一つの分割部材１１に収納空間１２を設け、他の分割部材１１を中実とすることもできる。
【００４４】
図９は、本発明の第二の実施形態に係る電柱用保護カバー９の分割部材１１の要部斜視図であり、図１０は、分割部材１１に取り付けられる蓋部材１３の斜視図である。
本実施形態と上記第一の実施形態との相違点は、内側壁１１ａの外側面１１ａ１が、断面凹湾曲形状とされた上下方向に延びる凹溝を構成している点、及び、蓋部材１３が径方向外側に突出するように湾曲した断面形状に形成されるとともに分割部材１１の上下方向全域に亘って前記凹溝を塞いでいる点である。
【００４５】
本実施形態において、内側壁１１ａの外側面１１ａ１は、径方向の断面が電柱１の径方向内側に凹む凹湾曲形状とされた凹溝を構成することで、上記第一の実施形態における柱部１１ｃの側面１１ｃ１に相当する部分に至るまで幅広に形成されている。よって、固定バンド１５を挿通するための孔部１４は、外側面１１ａ１に開口して設けられている。また、蓋部材１３の凸部１３ｃがはめ込まれる溝部１１ｅも、外側面１１ａ１の左右方向の端縁に設けられている。
【００４６】
本実施形態では、内側壁１１ａの外側面１１ａ１が構成する凹溝を、外側壁としての蓋部材１３が塞ぐことで、分割部材１１の内部に収納空間１２を形成している。
本実施形態の収納空間１２は、上述のような内側壁１１ａと、蓋部材１３とによって、上下方向に貫通するとともに断面が曲面形状とされた空間に形成されている。従って、本実施形態の分割部材１１は、図９に示すように、電柱１に沿って取り付けられる大径の保護管５０をそのまま収納空間１２に収納することができる。
すなわち、電柱１に取り付けられる付帯物としては、上記接地線６や、接地測定用端子４０の他、接地線６や、高圧線３や通信線４等を地中に引き込むための引込線がまとめて挿通されこれらを保護する、直径１００〜１５０ミリメートル程度の大径の保護管が取り付けられる場合がある。
本実施形態では、このような大径の保護管５０についても収納空間１２に収納でき、付帯物としての保護管５０を外部に突出させることなく電柱１を保護することができ、電柱１の外観を良好に保つことができる。
【００４７】
なお、本実施形態の分割部材１１には、固定バンド１５を挿通させる孔部１４の他、保護管５０ごと分割部材１１を締め付けてこれらを電柱１に固定するための固定バンド５１を挿通させる孔部５２が形成されている。
また、本実施形態の分割部材１１は、カバー本体１０を構成する全ての分割部材１１の内少なくとも一つの分割部材１１に対して適用されていればよく、また、第一の実施形態で示した分割部材１１を連結してカバー本体１０を構成することもできる。
【００４８】
図１１は、本発明の第三の実施形態に係る電柱用保護カバー９の分割部材１１の要部斜視図であり、図１２は、第三の実施形態に係る電柱用保護カバー９が電柱１に取り付けられている状態を示す図である。
本実施形態に係る電柱用保護カバー９のカバー本体１０は、図１１で示す分割部材１１と、上記第一の実施形態にて示した分割部材１１又は第一の実施形態で示した分割部材１１を中実としたものとを連結して構成されている。より具体的には、カバー本体１０は、電柱１を覆うのに必要な４つの分割部材１１の内、３つが第一の実施形態にて示した分割部材１１（図１１中、二点鎖線で示した分割部材１１）、残りの１つが本実施形態にて示す分割部材１１（図１１中、実線で示した分割部材１１）によって構成されている。
【００４９】
第一の実施形態の分割部材１１は、内周面１０ａが電柱１に接するように形成されている一方、図１１に示す本実施形態の分割部材１１は、径方向外側に突出するように湾曲した断面形状とされることで、その内側面１１ｈが電柱１の外周面１ａから離間して形成されている。本実施形態の分割部材１１は、内側面１１ｈと電柱１の外周面１ａとの間に、電柱１に取り付けられた大径の保護管５０を収納することで、この保護管５０を外側から覆っている。
つまり、本実施形態の分割部材１１は、電柱１の外周面１ａの周方向一部に対して離間した状態で当該電柱１を覆うことで、電柱１の外周面１ａとの間で、付帯物としての保護管５０を収納する収納空間１２を形成している。
【００５０】
本実施形態によれば、カバー本体１０を構成する複数の分割部材１１の内の一つの分割部材１１に、電柱１の外周面１ａとの間で収納空間１２を形成する内側面１１ｈ（壁面）が形成されているので、上記第一の実施形態と同様、低コストで、付帯物を外部に突出させることなく電柱を保護することができ、電柱の外観をより良好に保つことができる。
また、本実施形態の分割部材１１は、電柱１の外周面１ａとの間で収納空間１２を形成するので、電柱１に既設されている大径の保護管５０を電柱１から取り外すことなく、保護管５０の外側から当該分割部材１１を覆い被せることで収納空間１２を形成することができ、当該保護管５０を収納空間１２に容易に収納することができる。
【００５１】
図１３は、本発明の第四の実施形態に係るカバー本体１０の斜視図である。本実施形態に係る電柱用保護カバー９のカバー本体１０は、その外形が四角筒形状とされている点で上記各実施形態と異なっている。その他の部分については、上記第一の実施形態と同様である。
本実施形態のカバー本体１０は、四角筒形状とされることで、そのカバー外側面１０ｂに角部７０を有している。よって、この角部７０が補強リブとして機能し、外部からの衝撃に対する強度を高めることができる。
【００５２】
本発明は、上記各実施形態に限定されるものではない。上記各実施形態では、カバー本体１０をポリカーボネートで形成した場合を例示したが、ポリカーボネート同様に絶縁性及び耐久性に優れた性質を有するウレタン樹脂等の他の合成樹脂を用いて形成することもできる。
また、上記各実施形態では、円筒形状、四角柱形状に形成したカバー本体１０を例示したが、四角筒形状以外の多角筒形状としてもよい。
また、上記各実施形態では、カバー本体１０を４つの分割部材１１によって構成した場合を例示したが、例えば、カバー本体１０を周方向に二分割とした形状の分割部材とすることもできるし、周方向により多数に分割した形状の分割部材とすることもできる。
【００５３】
また、本発明の電柱用保護カバーは、樹脂等で形成されているので、そのカバー外側面１０ｂに種々の表示を容易に施すことができる。例えば、図１４（ａ）に示すように、カバー外側面に電柱があることを示す電柱標識の表示を施すこともできるし、図１４（ｂ）に示すように、歩行者や車に対して注意を促す表示を施すこともできる。また、図１４（ｃ）に示すように、広告宣伝表示を施すこともできる。
【符号の説明】
【００５４】
１      電柱
１ａ    外周面
６      接地線（付帯物）
９      電柱用保護カバー
１０    カバー本体
１０ｂ  カバー外側面
１１    分割部材
１１ａ  内側壁
１１ｂ  外周壁（外側壁）
１１ｈ  内側面（壁面）
１２    収納空間
１３    蓋部材（外側壁）
１９    突起
４０    接地測定用端子（付帯物）
【図１】
2012075240.tif 000003
【図２】
2012075240.tif 000004
【図３】
2012075240.tif 000005
【図４】
2012075240.tif 000006
【図５】
2012075240.tif 000007
【図６】
2012075240.tif 000008
【図７】
2012075240.tif 000009
【図８】
2012075240.tif 000010
【図９】
2012075240.tif 000011
【図１０】
2012075240.tif 000012
【図１１】
2012075240.tif 000013
【図１２】
2012075240.tif 000014
【図１３】
2012075240.tif 000015
【図１４】
2012075240.tif 000016
【図１５】
2012075240.tif 000017